(57)【要約】【課題】障子が開かれた場合に自重等によりハンドルが障子閉の状態に戻ってしまい、これに気付かずに障子を閉鎖して掛かり部や受け部を衝突させて故障の原因を作ってしまったり、着脱式ハンドルが抜け落ちてしまったりすることを防止することが可能な開口部装置を提供する。【解決手段】枠と枠に開き窓として取り付けた障子とこれらに錠機構を設けた開口部装置において、錠機構は上下動する移動部材４３と移動部材に取り付けられた掛かり部４４とを障子の縦框１６に、掛かり部と係合する受け部４５を枠にそれぞれ備えるとともに、障子を閉めた状態において移動部材が下方または上方に移動することにより掛かり部が受け部に係合または係合離脱可能されるように構成して、さらに錠機構は移動部材の上下動の軌道に対し進退自在に設けられた突没部材を備え、障子が開かれた状態においては突没部材が移動部材の移動軌道上に進出して移動部材の移動を規制し、障子が閉鎖されると突没部材は移動軌道上から後退して規制が解除されるように構成する。【選択図】      図５
2004162413.tif 000002
【特許請求の範囲】
【請求項１】
枠と前記枠に開き窓として取り付けた障子と、これらに錠機構を設けた開口部装置であって、
前記錠機構は、上下動する移動部材に取り付けられた掛かり部を前記障子の縦框に、前記掛かり部と係合する受け部を前記枠にそれぞれ備えるとともに、前記障子を閉めた状態において、前記移動部材が下方または上方に移動することにより前記掛かり部が前記受け部に係合または係合離脱されるように構成され、
さらに前記錠機構は、前記移動部材の上下動の軌道に対し進退自在に設けられた突没部材を備え、
前記障子が開かれた状態においては、前記突没部材が前記移動部材の移動軌道上に進出して前記移動部材の移動を規制し、
前記障子が閉鎖されると前記突没部材は前記移動軌道上から後退して、前記規制が解除されるように構成された、ことを特徴とする開口部装置。
【請求項２】
枠と前記枠に開き窓として取り付けた障子と、これらに錠機構を設けた開口部装置であって、
前記錠機構は、ハンドルの回動により上下動する移動部材を前記障子の縦框に備えるとともに、前記移動部材の上下動の軌道に対し進退自在に設けられた突没部材を備え、
前記ハンドルは前記錠機構が係合状態のときにのみ前記障子に着脱自在となるように構成され、
前記障子が開かれた状態においては、前記突没部材が前記移動部材の移動軌道上に進出して前記移動部材の移動を規制し、
前記障子が閉鎖されると前記突没部材は前記移動軌道上から後退して、前記規制が解除されるように構成された、ことを特徴とする開口部装置。
【発明の詳細な説明】
【０００１】
【発明の属する技術分野】
本発明は、ビルや、住宅の開き窓や縦すべり出し窓などの開き系開口部装置に関する。
【０００２】
【従来の技術】
ビルや住宅の開き窓や縦すべり出し窓などの開き系窓などは、通常閉鎖されているが、換気のためあるいは火災等の非常用進入口として開放可能な構造とされている。このような非常用進入口に関する構造が特許文献１及び２に開示されている。
【０００３】
かかる開口部の開放を図るには、通常は錠が掛けられている障子を開錠するために室内側に設けられたハンドルを操作する必要がある。この錠は、例えば、障子に設けられた上下動可能な連動棒と、この連動棒に取り付けられた掛かり部と、枠側に設けられ上記掛かり部と係合される受け部とを備えている。そしてハンドルを回転操作すると、連動棒が下方に移動されることにより、掛かり部が受け部との係合から離脱されて開錠され、障子を開けることができる状態となる。
【０００４】
また、障子が非常時の進入口とされている場合には、ハンドルは特定の者のみが操作できるように障子に対し着脱式に取り付けられている場合があり、このような場合、ハンドルは障子閉の位置のみにて着脱が可能となるように構成されている。
【特許文献１】
特開平５−３１１９３４号公報
【特許文献２】
特開平９−１２５７７３号公報
【０００５】
【発明が解決しようとする課題】
しかし、ハンドルをまわして障子を開け放った状態において、連動棒の上下動は主に連動棒を支えている部材との摩擦により規制されているだけなので、ハンドルは自重により障子開の位置から障子閉の位置まで戻ってしまうことがある。このような場合、ハンドルが元の位置に戻ったことに気がつかずに障子を閉めようとすると、掛かり部と受け部とは係合可能な位置にはないので、障子の閉鎖をすることができず、あるいは掛かり部と受け部とが衝突して変形してしまい、故障の原因となるという問題があった。
【０００６】
また、着脱式のハンドルは障子閉の位置にて離脱可能なので、ハンドルが自重によりもとの位置に戻ると障子から抜け落ちて、ビル等の外部側に落下する恐れがあるという問題もあった。
【０００７】
そこで、本発明は、障子が開かれた場合に自重等によりハンドルが障子閉の状態に戻ってしまい、これに気付かずに障子を閉鎖して掛かり部や受け部を衝突させて故障の原因を作ってしまったり、着脱式ハンドルが抜け落ちてしまったりすることを防止することが可能な開口部装置を提供することを課題とする。
【０００８】
【課題を解決するための手段】
以下、本発明について説明する。なお、本発明の理解を容易にするために添付図面の参照符号を括弧書きにて付記するが、それにより本発明が図示の形態に限定されるものではない。
【０００９】
請求項１の発明は、枠（１３、１４、１１６、１９）と枠に開き窓として取り付けた障子（１０）とこれらに錠機構を設けた開口部装置であって、錠機構は上下動する移動部材（４３）に取り付けられた掛かり部（４４）を障子の縦框（１６）に、掛かり部と係合する受け部（４５）を枠（１１６）にそれぞれ備えるとともに、障子を閉めた状態において移動部材が下方または上方に移動することにより掛かり部が受け部に係合または係合離脱されるように構成され、さらに錠機構は移動部材の上下動の軌道に対し進退自在に設けられた突没部材（５２）を備え、障子が開かれた状態においては突没部材が移動部材の移動軌道上に進出して移動部材の移動を規制し、障子が閉鎖されると突没部材は移動軌道上から後退して規制が解除されるように構成されたことを特徴とする開口部装置を提供して前記課題を解決する。
【００１０】
この請求項１にかかる開口部装置によれば、障子が開かれた状態においては移動部材の移動軌道上に突没部材が進出してきて移動部材の移動が規制される。したがって、移動部材を移動させるための例えばハンドル等操作部材の自重やその他の原因により操作部材が回動されて移動部材が障子閉鎖の位置に戻ることができないようにされているので、そのまま障子が閉鎖の位置に戻されても掛かり部と受け部とが衝突して破壊されることが防止される。また、障子が閉鎖されると突没部材は移動部材の移動軌道上から後退して移動部材の移動の規制が解除されるので、例えばハンドル等操作部材を回動して移動部材を移動させることができ、これにより掛かり部と受け部とを再び係合することができる。
【００１１】
請求項２の発明は、枠（１３、１４、１１６、１９）と枠に開き窓として取り付けた障子（１０）とこれらに錠機構を設けた開口部装置であって、錠機構はハンドル（２１）の回動により上下動する移動部材（４３）を障子の縦框（１６）に備えるとともに、移動部材の上下動の軌道に対し進退自在に設けられた突没部材（５２）を備え、ハンドルは錠機構が係合状態のときにのみ障子に着脱自在となるように構成され、障子が開かれた状態においては突没部材が移動部材の移動軌道上に進出して移動部材の移動を規制し、障子が閉鎖されると突没部材は移動軌道上から後退して規制が解除されるように構成されたことを特徴とする開口部装置により前記課題を解決する。
【００１２】
この発明によれば、障子が開かれた状態においては移動部材の移動軌道上に突没部材が進出してきて移動部材の移動が規制される。したがって、移動部材を移動させるためのハンドルの自重などが原因でハンドルが回動されるなどして移動部材が障子閉鎖の位置に戻ることができないようにされている。このように、移動部材の移動が規制されているので、障子が開かれた状態においては、ハンドルが挿入時の姿勢に戻されることがない。したがって、開かれた状態の障子からハンドルが障子から脱落して室外側に落下することが防止される。さらに、障子が閉鎖されると突没部材は移動部材の移動軌道上から後退して移動部材の移動の規制が解除されるので、ハンドルを回して移動部材を移動させることができる。またハンドルの位置を挿入時に戻せるのでハンドルを障子から抜き取ることが可能となる。
【００１３】
本発明のこのような作用及び利得は、次に説明する実施の形態から明らかにされる。
【００１４】
【発明の実施の形態】
以下本発明を図面に示す実施形態に基づき説明する。まず図１〜図３を参照しつつ開口部装置全体の構造について概略を説明し、その後に該開口部装置に設けられた錠機構の詳細について説明することとする。なお、各図が断面図である場合に、部分拡大図を除き断面であることを示すハッチングの表示を省略することがある。
【００１５】
＜１＞  開口部装置
図１は、本発明の開口部装置をビルのカーテンウオールに適用した場合の、室内側から見た正面図であり、（ａ）は非常時の進入口用窓として構成された開口部であって、ハンドルが着脱式である場合、（ｂ）は換気用窓として構成された開口部であって、ハンドルが固定式である場合をそれぞれ示す図である。この開口部は図に示されるとおり、図面右側の障子１０と、その四辺を囲むように設けられた枠を備えている。障子１０の図面左側には固定部１１０が配置されている。固定部１１０は、ビル壁面に垂直方向に設けられた（図面左側）の方立１１と、障子１０に接する中方立１１６と上下の枠１３、１４とにより構成された四辺形の枠１００を備え、枠１００にはガラスパネル１１０ａが嵌め込まれている。これら各部材は固定されており、固定部１１０は不動である。また、上枠１３には上枠カバー１１７が、下枠１４には下枠カバー１１８が取り付けられている。
【００１６】
一方、障子１０は、上桟１７、下桟１８、固定部側縦框１６、および方立側縦框１５により四辺の枠が構成されその枠にガラスパネル１０ａがはめ込まれている。縦框１５と方立１２との間には障子縦枠１９が配置されている。さらに縦框１５の上下の延長線上に位置する部分の上桟１７および下桟１８は、後述するフリクションステーを介してそれぞれ上枠１３、下枠１４に取り付けられており、障子１０は方立側縦框１５を軸として室外側に回動可能とされている。
【００１７】
なお、障子１０、および固定部１１０により構成される図の中央エリアの左右に示されている部分はいずれも他の固定部１１１および１１２として構成されており、それぞれ嵌め殺しのガラスパネル１１１ａ、１１２ａが組み込まれている。
【００１８】
図２（ａ）は、図１（ａ）に示される開口部装置のＩＩＡ−ＩＩＡ矢視水平断面図であり、図２（ｂ）は、図１（ｂ）に示される開口部装置のＩＩＢ−ＩＩＢ矢視水平断面図である。図２（ａ）はハンドルが着脱式である場合、図２（ｂ）はハンドルが固定式である場合をそれぞれ示す図である。図２（ａ）と図２（ｂ）とはハンドルが着脱式か固定式かの差があるのみで、あとは同一の構成を備えているので、ここでは図２（ａ）の着脱式についてのみ説明し、図２（ｂ）の固定式については着脱式との差異のみについて説明する。
【００１９】
図２（ａ）においては、図面上方が室外側、図面下方が室内側を表している。図の左側には固定部１１０、右側には回動可能な障子１０が配置されている。障子１０の回動方向は図面上部に大きな矢印で示されている。固定部１１０は、両端にアルミニウムサッシとして構成された方立枠２３と中方立１１６とを備え、これらの間にはシール材２４、２５を介してガラスパネル１１０ａが取り付けられている。方立枠２３の室内側には方立１１が延設されている。
【００２０】
一方、障子１０は、両端にアルミニウムサッシとして構成された障子縦框１６（図の中央側）ともう一方の障子縦框１５（図の右側）とを備え、さらに縦框１５は障子縦枠１９を介して方立１２に取り付けられている。障子縦框１６（図の中央側）ともう一方の障子縦框１５（図の右側）との間にはシール材２７、２８を介してガラスパネル１０ａが取り付けられている。方立１２は室内側に向かって延設されている。なお、図の上部に一点鎖線で示されているのは外壁（カーテンウオール）の外壁面２０である。また、図において、方立１１、及び１２の下端を結ぶ線として表されているのは後に図４において説明する下膳板４０の先端部分である。
【００２１】
図２（ａ）において符号２１で示されるのは着脱式ハンドルであり、着脱式であることを示す意味で仮想線（鎖線）で示されている。着脱式ハンドルが室内側に設けられている場合には、同時に室外側にもハンドル２２が設けられている。室外側ハンドルは、火災発生等非常の際に室外側から例えば消防士等が開口部を開けるために設けられている。一方図２（ｂ）において符号２１ａで表されているのは固定式ハンドルであり、実線で表されている。ここではハンドルの手掛け部分が省略されて示されている。また固定ハンドルが設置されている場合には室外側ハンドルは設けられていない。
【００２２】
図３は、図１に示される開口部装置のＩＩＩ−ＩＩＩ矢視垂直断面図である。図３において、図面左側が室外、図面右側が室内側を表しており、最も左寄りに表されている垂直方向の一点差線はカーテンウオール外壁面２０を示すものである。障子１０の上下には上部固定部３１、及び下部固定部３２が設けられている。それぞれの固定部にはガラスパネルが嵌め込まれており、障子１０と同様に室内側から室外を透視することができる。
【００２３】
上部固定部３１の下端部には無目枠である上枠１３が取り付けられている。上枠１３の外壁側には上枠カバー（無目カバー）１１７が取り付けられている。一方これに対応する障子１０の上端には障子上桟１７が設けられている。障子上桟１７の外壁側には障子カバー３６ａが取り付けられている。障子上桟１７の室内側には上膳板３８ａが取り付けられ、室内側に延設されている。
【００２４】
一方、下部固定部３２の上端部には無目枠である下枠１４が取り付けられている。下枠１４の外壁側には下枠カバー（無目カバー）１１８が取り付けられている。一方これに対応する障子１０の下端には障子下桟１８が設けられている。障子下桟１８の外壁側には障子カバー３６ｂが取り付けられている。障子下桟１８の室内側には下膳板３８ｂが取り付けられ、室内側に延設されている。
【００２５】
上枠１３と障子上桟１７との間、及び下枠１４と障子下桟１８との間にはそれぞれフリクションステー３７ａ、３７ｂが設けられている。これらのフリクションステー３７ａ、３７ｂにより障子１０は、縦框１５（図２参照）を軸として室外側に回動可能とされている。
【００２６】
＜２＞  錠機構
図４は、図２に示されるＡの部分を拡大して示す図である。図５は、障子１０が「閉」の状態にある時の障子１０の縦框１６及び中方立１１６の内部の錠機構を示しており、（ａ）は水平断面図、（ｂ）は側面方向から見た内部透視図である。また、図６は「開」の状態にある錠機構の障子１０側のみを示しており、（ａ）は側面図、（ｂ）は水平断面図、（ｃ）は室外正面方向から見た内部透視図である。さらに、図７は中方立１１６を示し、（ａ）は室外正面方向から見た内部透視図、（ｂ）は側面図である。図８（ａ）は、障子１０のハンドル取り付け部を示す図、（ｂ）は着脱式ハンドル２１を示す図である。以下にこれらの図を参照しつつ開口部装置に設けられた錠機構について説明する。
【００２７】
図４は、固定部１１０に対して障子１０が閉鎖された状態を示しており、障子１０側に設けられたパッキン４１が固定部中方立１１６に、また中方立１１６に設けられたパッキン４２が障子１０の縦框１６にそれぞれ当接されて、室内外の密閉が保たれている。障子１０の縦框１６には着脱ハンドル２１の軸部８１（図８（ｂ）参照）を差し入れるための角孔４６を備えた回動機構８０（図８（ａ）参照）が設けられている。軸部８１の形状も角柱状に形成されており、角孔４６に軸部８１を差し入れてハンドル２１を回すことにより回動機構８０が回動される。
【００２８】
縦框１６には垂直（上下）方向に溝が形成されており、その溝の内部に連動棒４３が摺動可能に設けられている（図５及び図６参照）。連動棒４３の所定位置には、固定部１１０側に向けて、ローラー締り４４が取り付けられている。ローラー締り４４は円柱形状に形成された部材であって、その底面が連動棒４３に固定されている（図６参照）。
【００２９】
図８（ａ）において、回動機構８０には角孔４６を内部に備えた軸４９と、軸４９に取り付けられた回転片８２とが備えられている。回転片８２はその回転軸から離隔する方向に舌状部が延在されている。回転片８２の舌状部先端は連動棒４３の所定位置に設けられた不図示の接続点に回動自在に取り付けられている。
【００３０】
いま、着脱式ハンドル２１の軸８１を角孔４６に差し入れて回動機構８０を回動させると回転片８２が回転され、回転片８２の先端が連動棒４３を押し下げる。このようにハンドル２１を回して上記回動機構８０を回動させることにより、連動棒４３の上下動が行われる。なお、着脱式ハンドル２１の軸８１の付け根には長円形の抜け防止片８６が設けられている。一方障子縦框１６のハンドル軸受け入れ部には、着脱ハンドル受け座８７が設けられている。この受け座８７の表面板にも抜け防止片と同一形状の孔８８が開けられている。ハンドル２１の抜け防止片８６は、この孔８８から受け座８７内部に差し入れられ回動される。したがって、着脱ハンドル２１は、挿入位置すなわち障子１０が「閉」の位置のときのみ抜き差しが可能であるが、ハンドル２１を回すと抜き差し不可能となる。
【００３１】
縦框１６にはさらに室外側に手掛け部２２ａが突出して設けられた外部ハンドル２２が設けられている（図８（ａ）参照）。外部ハンドル２２は支点８５を介して手掛け部２２ａの反対側に長円形の孔８４が設けられている。この孔８４に連動棒４３に取り付けられた円柱状部材８３が差し入れられている。円柱状部材８３はローラー締り４４と同一形状に形成されている。孔８４と円柱状部材８３とは、カム機構を形成しており、ハンドル手掛け部２２ａを回動させることにより連動棒４３の上下動を行うことが可能である。
【００３２】
再び図４に説明を戻す。中方立１１６のローラー締り４４に対応する位置にはスライダーロック受け４５が取り付けられている。スライダーロック受け４５とローラー締り４４との協働により錠機構のロックが実現されるがこれについては図７（ｂ）を参照して説明する。スライダーロック受け４５は、中方立１１０にねじ止めされる固定板４８と、固定板４８から略９０°障子縦框１６に向けて折り曲げられた係止片４７とを備えている。障子１０が閉鎖された状態においては、図７（ｂ）に鎖線で示されるローラー締り４４は、図において係止片４７の左側に位置している。障子１０の開く方向は、図の右方向であるが、障子１０に固定されているローラー締り４４が係止片４７により図の右方向への移動を規制されているので、この状態では障子１０を開くことができない。この状態から着脱式ハンドル２１あるいは外部ハンドル２２を操作して連動棒４３を下降させると、連動棒４３に取り付けられているローラー締り４４も下降し、係止片４７の係止から解かれる。このようにして、障子１０の開放が可能な状態となる。
【００３３】
＜３＞  トリガー装置
次に本発明の特徴的部分であるトリガー装置５０について図５〜１０を参照しつつ説明する。図９は、トリガー装置５０を示し、（ａ）は平面図、（ｂ）は室内正面方向から見た透視図、（ｃ）は側面からの透視図である。図６及び図９からも明らかなようにトリガー装置５０は、障子縦框１６に取り付けられたケース５５と、ケース５５に取り付けられた軸（支点）５３と、軸５３に回動自在に取り付けられた可動片５６と、ケース５５に一端側が固定され、他端側が可動片５６に当接されているコイルばね５４とを備えている。可動片５６は、軸５３とは反対側の端部に係止部５２を備え、軸５３と係止部５２との中間にトリガー片５１を備えている。係止部５２及びトリガー片５１はいずれも固定部１１０の中方立１１６の方向に向けて設けられている。コイルばね５４は自然伸長状態から圧縮されてトリガー装置５０に組み込まれている。したがって、可動片５６は常にコイルばね５４により固定部１１０の中方立１１６の方向に付勢されている。
【００３４】
図１０は、トリガー装置受けを示し、（ａ）は正面図、（ｂ）は、平面図、（ｃ）は底面図、（ｄ）は側面図である。トリガー装置受け７０は図５及び図７からも明らかなように、トリガー装置５０に対向するように中方立１１６に取り付けられている。そしてトリガー装置５０のトリガー片５１の先端部分がトリガー装置受け７０の上面に当接される（図５参照）。
【００３５】
図１０において、トリガー装置受け７０はトリガー装置５０に対向する側に平面７２と斜面７１とを備え、その裏面側に底面７３が形成されている。また、トリガー装置受け７０には、平面７２から底面７３に貫通する孔７４、７５が設けられている。底面７３を中方立１１６に接するように配置し、これらの孔７４、７５にねじが差し入れられて、トリガー装置受け７０が中方立１１６に固定される。
【００３６】
図１０（ｂ）は、トリガー装置受け７０の平面図であり、図のＡ−Ｂ−Ｄ´の円弧は障子１０が「開」から「閉」の状態に移行する場合にトリガー片５１の先端部分が取るべき軌道を示している。トリガー装置受け７０がない場合に、トリガー片５１の先端部分が取るべき軌道は、上述のとおり図においてＡ−Ｂ−Ｄ´で示される円弧となるが、トリガー装置受け７０が設けられている場合、トリガー片５１の先端部分の移動はトリガー装置受け７０により規制されて（トリガー装置受け７０の斜面７１に乗り上げて）、図のＡ−Ｂ−Ｃ−Ｄの軌道を通る。したがってトリガー片５１は図のＤの位置、すなわち障子１０が「閉」の状態においては図に「ｔ」で表されている長さだけ、コイルばね５４の付勢に坑して障子１０側に押し込まれる。
【００３７】
図１１は、錠機構におけるトリガー装置５０の作用効果を説明するための図である。障子１０が「閉」の位置にあり、かつ錠機構がロックされているときは、ローラー締り４４は、スライダーロック受け４５の係止片４７の室内寄り側にある。このときのローラー締りを符号４４ａで表している。このとき図５に示されているように連動棒４３は最も高い位置にあり、トリガー装置５０のトリガー片５１は、トリガー装置受け７０により障子１０側に押し込まれ、係止部５２は連動棒の上下動の軌道上から障子１０側に後退している。
【００３８】
この状態においては、着脱ハンドル受け座８７に着脱ハンドル２１を差し入れることができる。このときハンドル２１の手掛かり部は垂直下方に向けられている。今この状態からハンドル２１を図５の右方向（障子１０側）に回動させると上述した回動機構８０の作用により、連動棒４３が下方に引き下げられる。これに伴い連動棒４３に固定されているローラー締り４４も下方に移動される（図１１の矢印▲１▼参照）。図１１においてこの状態のローラー締りを符号４４ｂで表している。この位置においては、ローラー締り４４ｂは、障子１０の「開」方向の移動に関し係止片４７の規制を受けないので錠機構のロックは解除された状態となっている。
【００３９】
この状態から障子１０を室外側に開く。ローラー締りは符号４４ｃの位置に移動される。このとき図６に示されるように、トリガー片５１先端部分は、完全にトリガー装置受け７０と離隔されているので、トリガー装置受け７０によるトリガー片５１への押圧は解除され、可動片５６は、軸５３を支点としてコイルばね５４による付勢を受けて固定部１１０方向に押し出される。このとき連動棒４３は下方に移動されているので、可動片５６の係止部５２は、連動棒４３と衝突することなく連動棒４３の移動軌道上に押し出される。図６はこの状態を表しており、係止片５２は連動棒４３の上方に配置されている。係止片５２が移動軌道上にあるので、連動棒４３の上端が係止片５２の下端より上方へ移動するのを規制することができる。
【００４０】
図１１においては、ローラー締りは矢印▲３▼の方向に移動され、符号４４ｃで表される位置に配置されている。上記したように係止片５２が連動棒４３の上方への移動を規制しているので、ローラー締り４４ｃはその位置から上方への移動（図の矢印▲５▼）はできない。したがって、符号４４ｄに示される位置から障子が閉められて（図の矢印▲６▼）ローラー締り４４がトリガー装置受け７０の係止片４７に衝突して、ローラー締り４４または係止片４７が破損され、故障の原因となることが防止される。
【００４１】
一方、図６に示されるようにハンドル２１は閉鎖時の垂直の姿勢から障子側に回動されている。この状態においては、ハンドル２１の手掛かり部の自重によりハンドルの軸８１に「閉」方向へのモーメントが掛かっている。このモーメントにより連動棒４３は上方へと移動しようとする。しかし、上方への移動は上記したように係止部５２により規制されているので、ハンドル２１が「閉」の方向に戻されることがない。したがって、ハンドル２１の自重によりハンドル２１が戻されて障子１０から抜け落ちることが防止される。
【００４２】
次に障子１０が「開」から「閉」にされる場合の各部材の動作について説明する。障子１０を「開」の状態から次第に閉鎖し、図５に表されている状態に近づけてゆくと、離隔されていたトリガー装置５０のトリガー片５１先端部分と、トリガー装置受け７０とは再び接触して、図１０（ｂ）に表されたＡ−Ｂ−Ｃ−Ｄの軌道上をトリガー片５１の先端部分が戻される。Ｄの位置にトリガー片５１の先端部分が配置されたとき、トリガー片５１は図６で示される姿勢に戻されている。このとき係止部５２は連動棒４３の移動軌道上から障子１０側に後退している。すなわち連動棒４３の上方への移動の規制が解かれるので、連動棒４３は上方に移動することができる状態となる。図１１においては、ローラー締りが矢印▲４▼の方向に移動され、符号４４ｂで示される位置に配置されている。この状態でハンドル２１を元の垂直位置の方向に回動させると、規制を解かれた連動棒４３は上方に移動され、これによってローラー締りは図１１の矢印▲２▼の方向に沿って移動され、符号４４ａで示される位置に戻される。かくして錠機構は再びロックされ、着脱式ハンドル２１は抜き差し可能な状態となる。
【００４３】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。例えば以下に説明する変形例は本願発明の技術的範囲に属するものと理解されなければならない。
【００４４】
＜３＞  変形例
１．上記実施形態では、開口部装置をビルのカーテンウオールに組み込んだ例を説明したが、本発明はこれに限定されるものではなく、広く建物一般の開口部装置に適用が可能である。
２．連動棒はロック時に最高位に配置される例について説明したが、逆にロック時には最低位に配置し、トリガー装置をハンドルより下方に配置してもよい。
３．着脱ハンドルが設けられている場合に室外側ハンドルが設けられている例について説明したが、固定ハンドルが設けられている場合にも室外ハンドルを設けてもよい。法律に定められている場合を除き、室内側には着脱ハンドルまたは固定ハンドルのいずれかを設ける必要があるが、本発明に関し室外側ハンドルの設置の有無は任意である。
４．室内側から見て、右側に障子、左側に固定部を設けた例を説明したが、左側に障子、右側に固定部を設けてもよい。
【００４５】
【発明の効果】
以上に説明したように、請求項１の発明によれば、障子が開かれた状態においては移動部材の移動軌道上に突没部材が進出してきて移動部材の移動が規制される。したがって、例えば移動部材を移動させるための例えばハンドル等操作部材の自重により操作部材が回動されて移動部材が障子閉鎖の位置に戻ることができないようにされているので、そのまま障子が閉鎖の位置に戻されても掛かり部と受け部とが衝突して破壊されることが防止される。また、障子が閉鎖されると突没部材は移動部材の移動軌道上から後退して移動部材の移動の規制が解除されるので、例えばハンドル等操作部材を回動して移動部材を移動させることができ、これにより掛かり部と受け部とを再び係合することができる。
【００４６】
また、請求項２の発明によれば、障子が開かれた状態においては移動部材の移動軌道上に突没部材が進出してきて移動部材の移動が規制される。したがって、移動部材を移動させるためのハンドルの自重などが原因でハンドルが回動されるなどして移動部材が障子閉鎖の位置に戻ることができないようにされている。このように、移動部材の移動が規制されているので、障子が開かれた状態においては、ハンドルが挿入時の姿勢に戻されることがない。したがって、開かれた状態の障子からハンドルが障子から脱落して室外側に落下することが防止される。さらに、障子が閉鎖されると突没部材は移動部材の移動軌道上から後退して移動部材の移動の規制が解除されるので、ハンドルを回して移動部材を移動させることができる。またハンドルの位置を挿入時に戻せるのでハンドルを障子から抜き取ることが可能となる。
【図面の簡単な説明】
【図１】本発明の開口部装置をビルのカーテンウオールに適用した場合の正面図であって、（ａ）はハンドルが着脱式である場合、（ｂ）はハンドルが固定式である場合をそれぞれ示す図である。
【図２】図１に示される開口部装置のＩＩＡ−ＩＩＡ矢視水平断面図であって、（ａ）はハンドルが着脱式である場合、（ｂ）はハンドルが固定式である場合をそれぞれ示す図である。
【図３】図１に示される開口部装置のＩＩＩ−ＩＩＩ矢視垂直断面図である。
【図４】図１に示されるＡの部分を拡大して示す図である。
【図５】障子が「閉」の状態にある時の障子の立て框及び中方立の内部の錠機構を示しており、（ａ）は水平断面図、（ｂ）は側面方向から見た内部透視図である。
【図６】「開」の状態にある錠機構の障子側のみを示しており、（ａ）は側面図、（ｂ）は水平断面図、（ｃ）は室外正面方向から見た内部透視図である。
【図７】中方立を示し、（ａ）は室外正面方向から見た内部透視図、（ｂ）は側面図である。
【図８】障子のハンドル取り付け部を示す図、（ｂ）は着脱式ハンドルを示す図である。
【図９】トリガー装置を示し、（ａ）は平面図、（ｂ）は室内正面方向から見た透視図、（ｃ）は側面からの透視図である。
【図１０】トリガー装置受けを示し、（ａ）は正面図、（ｂ）は、平面図、（ｃ）は底面図、（ｄ）は側面図である。
【図１１】錠機構におけるトリガー装置の作用効果を説明するための図である。
【符号の説明】
１０  障子
１３  上枠（枠）
１４  下枠（枠）
１６  縦框
１９  障子縦枠（枠）
２１  ハンドル
４３  連動棒（移動部材）
４４  ローラー締り（掛かり部）
４５  スライダーロック受け（受け部）
５２  係止部（突没部材）
１１６  中方立（枠）
【図１】
2004162413.tif 000003
【図２】
2004162413.tif 000004
【図３】
2004162413.tif 000005
【図４】
2004162413.tif 000006
【図５】
2004162413.tif 000007
【図６】
2004162413.tif 000008
【図７】
2004162413.tif 000009
【図８】
2004162413.tif 000010
【図９】
2004162413.tif 000011
【図１０】
2004162413.tif 000012
【図１１】
2004162413.tif 000013